(57)【要約】      （修正有）【課題】被測定物へレーザ光を当て易く、且つ正確な測定も可能なレーザ距離計を提供する。【解決手段】略円筒状面の凹部を備える平凹シリンドリカルレンズ８を介してレーザ光を照射する。これにより、レーザ光９は、照射方向と直角方向断面を直線状として照射される。十字形状など、複数の直線を交差させた形状としてもよい。【選択図】図３
0003107868.tif 000002
【実用新案登録請求の範囲】
【請求項１】
照射方向と直角方向断面が直線状とされてレーザ光が照射される
ことを特徴とするレーザ距離計。
【請求項２】
略円筒状面の凹部を備える平凹シリンドリカルレンズを介してレーザ光を照射することで、レーザ光照射方向と直角方向断面を直線状として、レーザ光が照射される
ことを特徴とする請求項１に記載のレーザ距離計。
【請求項３】
レーザ光照射方向と直角方向断面が、複数の直線を交差させた形状とされてレーザ光が照射される
ことを特徴とする請求項１又は請求項２に記載のレーザ距離計。
【請求項４】
レーザ光照射方向の仰角を計測する角度計付きアダプターに取り付けられた
ことを特徴とする請求項１から請求項３までのいずれかに記載のレーザ距離計。
【請求項５】
計測される直線斜め距離と、前記角度計から計測される仰角とに基づいて、被測定物の垂直高さと水平距離を求める手段を備える
ことを特徴とする請求項４に記載のレーザ距離計。
【考案の詳細な説明】
【技術分野】
【０００１】
本考案は、レーザ光を用いて距離を測定するためのレーザ距離計に関するものである。
【背景技術】
【０００２】
建築物などの距離測定、土木工事現場の距離測定、室内寸法測定などに、レーザ距離計が使用されている。このレーザ距離計は、被測定物にレーザ光を照射して被測定物との距離を求めるものである。また、計測位置から被測定物との直線距離が分かるので、レーザ距離計の仰角を求めることで、被測定物の垂直高さ等を求めるのにも利用されている。例えば、電線や架線の高さを測定する場合に利用されている。
【考案の開示】
【考案が解決しようとする課題】
【０００３】
しかしながら、従来のレーザ距離計は、レーザ光がスポット光（つまり照射方向と直角方向断面が微小な丸）であったから、レーザ光を被測定物へ当てるのが難しい場合があった。特に、風で動く電線や架線に当てる場合など、被測定物が小さくて動く場合には、レーザ光を当てるのが難しかった。
【０００４】
その一方、被測定物にレーザ光を当て易くするために、レーザ光の縦断面（照射方向と直角断面）形状を単に大きくした場合には、反射光の受光が弱くなり、正確な測定に支障をきたすことになる。
【０００５】
本考案は、上記事情に鑑みてなされたものであり、その主たる目的は、被測定物へレーザ光を当て易く、且つ正確な測定も可能なレーザ距離計を提供することにある。
【課題を解決するための手段】
【０００６】
上記課題を解決するために、本考案のレーザ距離計は、照射方向と直角方向断面が直線状とされてレーザ光が照射されることを特徴とする。特に、略円筒状面の凹部を備える平凹シリンドリカルレンズを介してレーザ光を照射することで、レーザ光照射方向と直角方向断面を直線状として、レーザ光が照射されることを特徴とするレーザ距離計である。
【０００７】
なお、レーザ光照射方向と直角方向断面が、複数の直線を交差させた形状とされてレーザ光が照射されることを特徴とするレーザ距離計としてもよい。
【０００８】
また、好ましくは上記いずれかの構成に加えて、レーザ光照射方向の仰角を計測する角度計付きアダプターに取り付けられたことを特徴とするレーザ距離計である。そして、計測される直線斜め距離と、前記角度計から計測される仰角とに基づいて、被測定物の垂直高さと水平距離を求める手段を備えることを特徴とするレーザ距離計とすれば一層好ましい。
【考案の効果】
【０００９】
以上詳述したように、本考案のレーザ距離計によれば、レーザ光はその照射方向と直角方向断面が直線状とされて照射される。よって、被測定物が小さくて動くものなど、レーザ光を当てにくい場合でも、容易にレーザ光を当てることができる。しかも、ライン状のビームであるから、反射光が弱くなるおそれはなく、正確な測定結果も従前通り期待できる。
【考案を実施するための最良の形態】
【００１０】
以下、本考案のレーザ距離計について、実施例に基づき更に詳細に説明する。
図１は、本考案のレーザ距離計１の一実施例を示す斜視図である。また、図２は、このレーザ距離計１を用いて、電線９９の高さ等を測定している状態を示す概略図である。
【００１１】
本実施例のレーザ距離計１は、三脚２の上部に設けられたアダプター３に、着脱可能に取り付けられている。
【００１２】
三脚２は、各脚２１，２１…が長さ調整自在とされており、レーザ距離計本体１の高さ位置を調整すると共に、アダプター３の水平状態での設置を実現するものである。つまり、アダプター３には水準器４が設けられており、その水準器４を見ながら三脚２の各脚２１を調整することで、アダプター３を水平に設置することができる。
【００１３】
なお、アダプター３には、レーザ距離計１をパソコンと接続するためのコネクタなどを備えていてもよく、その場合にはレーザ距離計１をアダプター３を介してパソコンと接続して使用することができる。よって、レーザ距離計１からのデータをパソコンで即座に処理可能となる。
【００１４】
アダプター３のレーザ距離計取付部５は、アダプター本体６から上方へ延びる二つのアーム間に回動可能に取付られる。また、アダプター３内には、角度計が備えられている。よって、レーザ距離計取付部５を所望角度だけ回動させて固定することで、レーザ距離計１の仰角（レーザ光照射方向の仰角）αはアダプター３内のマイクロプロセッサにて自動的に算出される構成である。
【００１５】
このマイクロプロセッサは、角度計とレーザ距離計１で計測されたデータを取得して、仰角や斜め距離（被測定物との直線距離）から、被測定物の高さや、被測定物までの水平距離を求めて出力可能とされている。このように、アダプター３は、角度、斜め距離、高さ、水平距離を求めて、アダプター３やパソコンに出力可能とされている。なお、アダプター３ではなく、レーザ距離計１自体に出力させてもよいのは勿論である。
【００１６】
アダプター３に取り付けられるレーザ距離計１自体の基本的構成は、従来公知のものとほぼ同様であるので詳細な説明は省略するが、従来のレーザ距離計と根本的に異なる重大な相違点が存在する。それは、照射されるレーザ光の断面形状（レーザ光照射方向と直角方向の断面形状）である。本実施例のレーザ距離計１では、これが直線状とされている。
【００１７】
具体的には、図３に示すように、レーザ発光部７からのレーザ光を凹レンズ８を通して照射するようにしている。この凹レンズ８は、照射方向先端側（レーザ発光部７と反対側）の面に略円筒状の凹面を備える平凹シリンドリカルレンズとされている。負の焦点距離を持つことで、レーザ光を直線状に広げる機能を果たすものである。直線状に広げるだけであるから、ビームとしての機能は維持し、測定精度を下げることはない。
【００１８】
なお、図３では、レーザ光９を縦の直線状に広げているが、横の直線状に広げるようにしてもよい。その場合には、凹レンズ８を図３の位置から９０度回転されて取り付ければよい。また、凹レンズ８の回転角度を適宜に設定することで、斜め直線状に照射するようにしてもよい。
【００１９】
さらに、複数の直線を交差させた形状としてもよい。例えば、図４に示すように、十字形状断面でレーザ照射してもよい。この場合には、例えば前記凹レンズに２回通すことなどで実現される。なお、これらの場合において、複数の直線は、中央で交差させる必要は必ずしもない。
【００２０】
なお、本考案のレーザ距離計１は、上記実施例の構成に限らず適宜変更可能である。
例えば、上記実施例では、レーザ距離計本体１をアダプター３に取り付けて使用する例を示したが、レーザ距離計本体１を単体として単に手で持って、被測定物との直線距離の計測に利用してもよい。この際、本考案によれば手ぶれ分を解消することができる。また、上記実施例では、電線９９の高さ等の測定に利用する例について説明したが、本考案のレーザ距離計１の用途はこれに限らず、鉄橋の高さ等、適宜の用途に利用可能である。また、レーザ光の断面形状も、一直線や十字に限らず、斜め十字や、３本以上の交差でもよい。
【図面の簡単な説明】
【００２１】
【図１】本考案のレーザ距離計の一実施例を示す斜視図である。
【図２】図１のレーザ距離計の使用状態を示す図である。
【図３】図１のレーザ距離計のレーザ光照射構造の概略を示す斜視図である。
【図４】図３の変形例を示す斜視図である。
【符号の説明】
【００２２】
１  レーザ距離計
８  凹レンズ（平凹シリンドリカルレンズ）
３  角度計付きアダプター
【図１】
0003107868.tif 000003
【図２】
0003107868.tif 000004
【図３】
0003107868.tif 000005
【図４】
0003107868.tif 000006
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
レーザ光を照射するレーザ発光部と、
このレーザ発光部からのレーザ光が通され、レーザ光の照射方向と直角方向断面を直線状とする凹レンズと
を備えることを特徴とするレーザ距離計。
【請求項２】
前記凹レンズは、略円筒状面の凹部を備える平凹シリンドリカルレンズとされる
ことを特徴とする請求項１に記載のレーザ距離計。
【請求項３】
レーザ光照射方向と直角方向断面が、複数の直線を交差させた形状となるように、前記凹レンズをレーザ光が通る位置に複数設けた
ことを特徴とする請求項１または請求項２に記載のレーザ距離計。
【請求項４】
三脚の上部に設けられたアダプター（３）は、アダプター本体（６）から上方へ延びる二つのアーム間に回動可能に設けられるレーザ距離計取付部（５）と、レーザ光照射方向の仰角を計測する角度計とを備えており、
前記レーザ距離計取付部に取り付けられる
ことを特徴とする請求項１から請求項３までのいずれかに記載のレーザ距離計。
【請求項５】
計測される直線斜め距離と、前記角度計から計測される仰角とに基づいて、被測定物の垂直高さと水平距離を求めるマイクロプロセッサが、前記アダプター内に設けられた
ことを特徴とする請求項４に記載のレーザ距離計。
【手続補正２】
【補正対象書類名】明細書
【補正対象項目名】０００６
【補正方法】変更
【補正の内容】
【０００６】
上記課題を解決するために、本考案のレーザ距離計は、レーザ光を照射するレーザ発光部と、このレーザ発光部からのレーザ光が通され、レーザ光の照射方向と直角方向断面を直線状とする凹レンズとを備えることを特徴とする。特に、前記凹レンズは、略円筒状面の凹部を備える平凹シリンドリカルレンズとされることを特徴とするレーザ距離計である。
【手続補正３】
【補正対象書類名】明細書
【補正対象項目名】０００７
【補正方法】変更
【補正の内容】
【０００７】
なお、レーザ光照射方向と直角方向断面が、複数の直線を交差させた形状となるように、前記凹レンズをレーザ光が通る位置に複数設けたレーザ距離計としてもよい。
【手続補正４】
【補正対象書類名】明細書
【補正対象項目名】０００８
【補正方法】変更
【補正の内容】
【０００８】
また、好ましくは上記いずれかの構成に加えて、三脚の上部に設けられたアダプター（３）は、アダプター本体（６）から上方へ延びる二つのアーム間に回動可能に設けられるレーザ距離計取付部（５）と、レーザ光照射方向の仰角を計測する角度計とを備えており、前記レーザ距離計取付部に取り付けられることを特徴とするレーザ距離計である。そして、計測される直線斜め距離と、前記角度計から計測される仰角とに基づいて、被測定物の垂直高さと水平距離を求めるマイクロプロセッサが、前記アダプター内に設けられたことを特徴とするレーザ距離計とすれば一層好ましい。